(57)【要約】  【課題】静音化が図られた画像読取装置を提供すること。【解決手段】原稿面に沿って往復移動し、ホームポジション２３から副走査方向の原稿面の側へ移動する往路において原稿面の画像の読み取りを行い、画像の読み取りを完了した後、移動方向を反転し、復路をホームポジション２３に向かって移動するイメージセンサ７を備えるスキャナ装置１において、複数の画像読取条件から１つの画像読取条件を選択する画像読取条件設定手段２４ｂと、イメージセンサ７の復路における移動速度を設定する復路移動速度設定手段２４ｄとを備え、復路移動速度設定手段２４ｄは、画像読取条件設定手段２４ｂにおいて所定の画像読取条件が選択された場合には、イメージセンサ７の復路における移動速度を所定の速度に設定する。【選択図】  図３
2008118249.tif 000002
【特許請求の範囲】
【請求項１】
原稿面に沿って往復移動し、ホームポジションから副走査方向の原稿面の側へ移動する往路において原稿面の画像の読み取りを行い、上記画像の読み取りを完了した後、移動方向を反転し、復路を上記ホームポジションに向かって移動する画像読取手段を備える画像読取装置において、
複数の画像読取条件から１つの画像読取条件を選択する画像読取条件設定手段と、
上記画像読取手段の復路における移動速度を設定する復路移動速度設定手段と、
を備え、
上記復路移動速度設定手段は、上記画像読取条件設定手段において所定の画像読取条件が選択された場合には、上記画像読取手段の復路における移動速度を所定の速度に設定することを特徴とする画像読取装置。
【請求項２】
前記画像読取条件設定手段は、プレビュー用に前記画像を読み取るプレビューモードと、読み取った画像を所定の作業に利用するために前記画像を読み取る画像データ取得モードとを選択することができ、
前記復路移動速度設定手段は、前記画像読取条件設定手段において、上記プレビューモードが選択されたときは、前記画像読取手段の復路における移動速度を所定の高速度に設定し、前記画像読取条件設定手段において、上記画像データ取得モードが選択されたときは、前記画像読取手段の復路における移動速度を所定の低速度に設定することを特徴とする請求項１に記載の画像読取装置。
【請求項３】
請求項１または２に記載の画像読取装置は、
画像の読み取り範囲を選択する画像読取範囲設定手段を備え、
前記復路移動速度設定手段は、上記画像読取範囲設定手段により指定された画像の読み込み範囲に対応して、前記画像読取手段の復路における移動速度を所定の速度に設定することを特徴とする画像読取装置。
【請求項４】
請求項１または２に記載の前記画像読取装置は、
前記画像読取手段が前記画像を読み取るために前記副走査方向の原稿面の側へ移動する距離を設定する移動距離設定手段を備え、
前記復路移動速度設定手段は、上記移動距離設定手段において設定された設定距離に対応して、前記画像読取手段の復路における移動速度を所定の速度に設定することを特徴とする画像読取装置。
【請求項５】
原稿面に沿って往復移動し、ホームポジションから副走査方向の原稿面の側へ移動する往路において原稿面の画像の読み取りを行い、上記画像の読み取りを完了した後、移動方向を反転し、復路を上記ホームポジションに向かって移動する画像読取手段と、
上記画像読取手段により読み取った画像を印刷媒体に対して形成する画像形成手段と、
を備える画像読取形成装置において、
複数の画像形成条件から１つの画像形成条件を設定する画像形成条件設定手段と、
上記画像読取手段の復路の移動速度を設定する復路移動速度設定手段と、
を備え、
上記復路移動速度設定手段は、上記画像形成条件設定手段において所定の画像形成条件が選択された場合には、上記画像読取手段の復路における移動速度を所定の速度に設定することを特徴とする画像読取形成装置。
【請求項６】
前記画像形成条件設定手段は、
前記画像読取手段による画像読み取り動作回数および前記画像形成手段による画像形成動作回数を設定する動作回数設定手段であり、
前記画像読取手段は、前記画像形成手段が前記印刷媒体に画像を形成するのに先立ち、その都度、前記画像の読み取りを行い、
前記復路移動速度設定手段は、上記動作回数設定手段の設定回数が所定の回数以下のときは、前記画像読取手段の復路における移動速度を、所定の低速度に設定することを特徴とする請求項５に記載の画像読取形成装置。
【請求項７】
請求項６に記載の画像読取形成装置は、
前記画像読取手段による画像読み取り動作回数をカウントする動作回数カウント手段を備え、
前記動作回数設定手段に複数回の動作回数が設定された場合に、
前記復路移動速度設定手段は、上記動作回数カウント手段により最後から２回目の動作がカウントされるまでは、前記画像読取手段の復路における移動速度を所定の高速度に設定し、上記動作回数カウント手段により最後の１回の動作がカウントされるときには、前記画像読取手段の復路における移動速度を所定の低速度に設定することを特徴とする画像読取形成装置。
【請求項８】
請求項５に記載の画像読取形成装置は、
前記画像読取手段が前記画像を読み取るために前記副走査方向の原稿面の側へ移動する距離を設定する移動距離設定手段を備え、
前記復路移動速度設定手段は、上記移動距離設定手段において設定された設定距離に対応して、前記画像読取手段の復路における移動速度を所定の速度に設定することを特徴とする画像読取形成装置。
【請求項９】
前記画像形成条件設定手段は、画像形成手段により形成される画像の解像度を設定する解像度設定手段であり、この解像度設定手段により上記解像度が所定の解像度より高く設定された場合には、前記画像読取手段の復路における移動速度を所定の低速度に設定することを特徴とする請求項５に記載の画像読取形成装置。
【発明の詳細な説明】
【技術分野】
【０００１】
本発明は、画像読取装置および画像読取形成装置に関するものである。
【背景技術】
【０００２】
従来、イメージセンサ等の光電素子を備える画像読取手段を、原稿面に沿って往復移動し、ホームポジションから副走査方向の原稿面の側へ移動する往路において原稿面の画像の読み取りを行い、画像の読み取りを完了した後は移動方向を反転し、ホームポジションに復帰させる画像読取装置が知られている（例えば、特許文献１）。
【０００３】
特許文献１においては、さらに、画像読取手段が、原稿を複数回走査する場合には、走査の都度、画像読取手段をホームポジションに復帰させる際の復路における移動速度を高速とする一方、１枚の原稿に対し１回だけ走査する場合には、該復路における移動速度を低速とし、画像読取手段が復路を移動する際の騒音の低減を図る構成が開示されている。
【特許文献１】特開平１０−２７１２８０号公報
【発明の開示】
【発明が解決しようとする課題】
【０００４】
しかしながら、１枚の原稿に対し１回だけ走査する場合には、画像読取手段をホームポジションに復帰させる際の復路における移動速度を低速とし、画像読取手段が復路を移動する際の騒音の低減を図ることに加えて、更に、画像読取装置の静音化が望まれている。
【０００５】
そこで、本発明は、より一層、静音化が図られた画像読取装置を提供することを目的とする。
【課題を解決するための手段】
【０００６】
上述の課題を解決するため、原稿面に沿って往復移動し、ホームポジションから副走査方向の原稿面の側へ移動する往路において原稿面の画像の読み取りを行い、画像の読み取りを完了した後、移動方向を反転し、復路をホームポジションに向かって移動する画像読取手段を備える画像読取装置において、複数の画像読取条件から１つの画像読取条件を選択する画像読取条件設定手段と、画像読取手段の復路における移動速度を設定する復路移動速度設定手段とを備え、復路移動速度設定手段は、画像読取条件設定手段において所定の画像読取条件が選択された場合には、画像読取手段の復路における移動速度を所定の速度に設定することとする
【０００７】
画像読取装置をこのように構成した場合には、画像読取手段の復路における移動速度を適宜に設定することができる。
【０００８】
また、他の発明は、上述の発明に加え、画像読取条件設定手段は、プレビュー用に画像を読み取るプレビューモードと、読み取った画像を所定の作業に利用するために画像を読み取る画像データ取得モードとを選択することができ、復路移動速度設定手段は、画像読取条件設定手段において、プレビューモードが選択されたときは、画像読取手段の復路における移動速度を所定の高速度に設定し、画像読取条件設定手段において、画像データ取得モードが選択されたときは、画像読取手段の復路における移動速度を所定の低速度に設定することとする。
【０００９】
画像読取装置をこのように構成した場合には、画像データ取得モードが選択されたときは、画像読取手段の復路における移動速度を所定の低速度に設定することとするため、画像読取手段が復路を移動する際の騒音の低減を図ることができる。
【００１０】
また、他の発明は、上述の発明に加え、画像読取装置は、画像の読み取り範囲を選択する画像読取範囲設定手段を備え、復路移動速度設定手段は、画像読取範囲設定手段により指定された画像の読み込み範囲に対応して、画像読取手段の復路における移動速度を所定の速度に設定することする。
【００１１】
画像読取装置をこのように構成した場合には、画像読取範囲に応じて、画像読取手段の復路における移動速度を設定することができ、画像読取手段が復路を移動する際の騒音の低減を図ることができる。
【００１２】
また、他の発明は、上述の発明に加え、画像読取装置は、画像読取手段が画像を読み取るために副走査方向の原稿面の側へ移動する距離を設定する移動距離設定手段を備え、復路移動速度設定手段は、移動距離設定手段において設定された設定距離に対応して、画像読取手段の復路における移動速度を所定の速度に設定することとする。
【００１３】
画像読取装置をこのように構成した場合には、画像読取手段の副走査方向の原稿面の側へ移動する距離に応じて、画像読取手段の復路における移動速度を設定することができ、画像読取手段が復路を移動する際の騒音の低減を図ることができる。
【００１４】
上述の課題を解決するため、原稿面に沿って往復移動し、ホームポジションから副走査方向の原稿面の側へ移動する往路において原稿面の画像の読み取りを行い、画像の読み取りを完了した後、移動方向を反転し、復路をホームポジションに向かって移動する画像読取手段と、画像読取手段により読み取った画像を印刷媒体に対して形成する画像形成手段とを備える画像読取形成装置において、複数の画像形成条件から１つの画像形成条件を設定する画像形成条件設定手段と、画像読取手段の復路の移動速度を設定する復路移動速度設定手段とを備え、復路移動速度設定手段は、画像形成条件設定手段において所定の画像形成条件が選択された場合には、画像読取手段の復路における移動速度を所定の速度に設定することとする。
【００１５】
画像読取形成装置をこのように構成した場合には、画像読取手段の復路における移動速度を適宜に設定することができる。
【００１６】
また、他の発明は、上述の発明に加え、画像形成条件設定手段は、画像読取手段による画像読み取り動作回数および画像形成手段による画像形成動作回数を設定する動作回数設定手段であり、画像読取手段は、画像形成手段が印刷媒体に画像を形成するのに先立ち、その都度、画像の読み取りを行い、復路移動速度設定手段は、動作回数設定手段の設定回数が所定の回数以下のときは、画像読取手段の復路における移動速度を、所定の低速度に設定することとする。
【００１７】
画像読取形成装置をこのように構成した場合には、動作回数設定手段の設定回数が所定の回数以下のときは、画像読取手段の復路における移動速度を低速度に設定することができ、画像読取手段が復路を移動する際の騒音の低減を図ることができる。
【００１８】
また、他の発明は、上述の発明に加え、画像読取形成装置は、画像読取手段による画像読み取り動作回数をカウントする動作回数カウント手段を備え、動作回数設定手段に複数回の動作回数が設定された場合に、復路移動速度設定手段は、動作回数カウント手段により最後から２回目の動作がカウントされるまでは、画像読取手段の復路における移動速度を所定の高速度に設定し、動作回数カウント手段により最後の１回の動作がカウントされるときには、画像読取手段の復路における移動速度を所定の低速度に設定することとする。
【００１９】
画像読取形成装置をこのように構成した場合には、動作回数が最後の１回になったときは、画像読取手段の復路における移動速度を所定の低速度に設定することとするため、画像読取手段が復路を移動する際の騒音の低減を図ることができる。
【００２０】
また、他の発明は、上述の発明に加え、画像読取形成装置は、画像読取手段が画像を読み取るために副走査方向の原稿面の側へ移動する距離を設定する移動距離設定手段を備え、復路移動速度設定手段は、移動距離設定手段において設定された設定距離に対応して、画像読取手段の復路における移動速度を所定の速度に設定することとする。
【００２１】
画像読取形成装置をこのように構成した場合には、画像読取手段の副走査方向の原稿面の側へ移動する距離に応じて、画像読取手段の復路における移動速度を設定することができ、画像読取手段が復路を移動する際の騒音の低減を図ることができる。
【００２２】
また、他の発明は、上述の発明に加え、画像読取形成装置は、画像形成条件設定手段は、  画像形成手段により形成される画像の解像度を設定する解像度設定手段であり、この解像度設定手段により解像度が所定の解像度より高く設定された場合には、画像読取手段の復路における移動速度を所定の低速度に設定することとする。
【００２３】
画像読取形成装置をこのように構成した場合には、画像形成手段により形成される画像の解像度が所定の解像度より高く設定された場合には、画像読取手段の復路における移動速度が所定の低速度に設定されるので、画像読取手段が復路を移動する際の騒音の低減を図ることができる。
【発明を実施するための最良の形態】
【００２４】
以下、本発明の実施の形態について、図面を参照しながら説明をする。
【００２５】
図１は、本発明の第１の実施の形態に係る画像読取装置としてのスキャナ装置１の外観を示す斜視図である。このスキャナ装置１は、スキャナ機能の他、プリンタ機能、さらにコピー機能を備えるいわゆる複合機として構成されている。スキャナ装置１には、パーソナルコンピュータ（以下、単にパソコンと呼ぶ）ＰＣが接続され、このパソコンＰＣにおいて、スキャナ装置１より読み込んだ画像の処理を行う等の種々の処理を行うことができるようになっている。
【００２６】
スキャナ装置１は、原稿を載置する原稿載置面としての透明な原稿台２を備えるスキャナ構成部３と、原稿台２に載置された原稿Ｐを覆う原稿カバー４とを備えている。スキャナ構成部３には、キャリッジ５等の後述する種々の内部機構が備えられている。
【００２７】
複合機として構成されるスキャナ装置１は、内部に、点線にて簡略化して図示する画像形成手段としてのプリンタ部１ａを備える。プリンタ部１ａには、印刷媒体としての印刷用紙を供給する給紙装置１ｂから、印刷用紙が供給され、プリンタ部１ａにおいて印刷された印刷用紙は、排出口１ｃから排出されるようになっている。このスキャナ装置１は、上述したように、プリンタ部１ａを備えることにより、画像を読み取る機能の他、印刷用紙に画像を形成する機能を備える画像読取形成装置としても構成されている。なお、スキャナ装置１には、複数の操作ボタン１ｄが備えられ、この操作ボタン１ｄにより、スキャナ装置１の機能の選択や種々の動作の指令等を行うことができる。
【００２８】
図２は、本実施の形態のスキャナ装置１におけるスキャナ構成部３の部分の機構の概略を示す図である。
【００２９】
図２に示すように、スキャナ装置１は、制御回路６と、画像読取手段としてのイメージセンサ７およびＬＥＤアレイ８を備えるキャリッジ５と、キャリッジ５の移動手段であるキャリッジ移動機構９と、エンコーダ１０等を備える。イメージセンサ７は、複数の受光素子が線状に配列された一次元のイメージセンサであり、ＬＥＤアレイ８は、イメージセンサ７の受光素子の配列方向に沿って複数のＬＥＤ素子が配列されている。なお、制御回路６は、プリンタ部１ａおよびスキャナ構成部３の制御を行い、スキャナ機能の他、プリンタ機能やコピー機能を実行する制御部としても構成されている。
【００３０】
キャリッジ移動機構９は、駆動源として直流モータ（以下、ＤＣモータという。）１１と、ＤＣモータ１１の出力軸１１ａに接合されたウォームギア１２と、ウォームギア１２と噛み合い所定の減速比で回転する平歯車１３と、平歯車１３に接合されたプーリ１４ａと、プーリ１４ａに対して原稿台２を挟んで配置されるプーリ１４ｂと、プーリ１４ａとプーリ１４ｂとの間に張設されるタイミングベルト１５と、このタイミングベルト１５の張設方向に沿って配設されるガイドレール１６等を備える。
【００３１】
ＤＣモータ１１が駆動されると、ウォームギア１２、平歯車１３、プーリ１４ａを介してタイミングベルト１５が回転する。タイミングベルト１５は、その一部が、キャリッジ５に固定されている。また、キャリッジ５は、ガイドレール１６に対して摺動可能に連結されている。そのため、タイミングベルト１５が回転することにより、キャリッジ５は、ガイドレール１６に沿って移動する。
【００３２】
なお、キャリッジ５が移動する方向、言い換えれば、タイミングベルト１５が張設される方向を副走査方向という。この副走査方向に直交する方向を主走査方向という。また、以下の説明において、プーリ１４ａからプーリ１４ｂに向かう方向を前方（前側）とし、その反対方向を後方（後側）として説明を行う。また、原稿台２に対して原稿Ｐが載置される側を上側（上方）とし、その反対側を下側（下方）として説明する。
【００３３】
キャリッジ５に備えられるイメージセンサ７とＬＥＤアレイ８は、キャリッジ５の副走査方向への移動と共に副走査方向に移動する。また、イメージセンサ７の受光素子は、主走査方向に配列されている。したがって、キャリッジ５の副走査方向への移動に併せてイメージセンサ７が原稿Ｐの原稿面を主走査方向に走査することにより、イメージセンサ７は、原稿面の画像の読み取りを行う。ＬＥＤアレイ８から原稿Ｐの原稿面に対して照明光が照射され、この照明光の原稿面からの反射光がイメージセンサ７に入射し、原稿面の画像に応じた電荷がイメージセンサ７に蓄積する。この電荷を電気信号の形で画像データとしてパソコンＰＣに出力する。
【００３４】
エンコーダ１０は、ロータリエンコーダであり、ＤＣモータ１１の出力軸１１ａに取り付けられた円盤１７と、この円盤１７を挟んで設置された発光ダイオード１８およびフォトダイオード１９とを備える。円盤１７は、円周に沿って所定の間隔で刻まれた図示を省略するスリットを備えており、フォトダイオード１９は、このスリット（図示省略）を介して発光ダイオード１８の発する光を受光することができる。そのため、ＤＣモータ１１の回転と共に円盤１７が回転すると、フォトダイオード１９は、発光ダイオード１８の発する光を、スリット部分では受光し、また、スリット以外の部分では受光しない。その結果、フォトダイオード１９は、ＤＣモータ１１の回転数に応じた数のパルス（以下、「エンコーダパルス」と呼ぶ。）を生成し、エンコーダ１０は、それを制御回路６に出力する。したがって、エンコーダパルスを計数することにより、ＤＣモータ１１の回転量や回転速度を検出することができる。
【００３５】
なお、図示を省略しているが、上述の発光ダイオード１８およびフォトダイオード１９は、２組ある。そして、各組の発光ダイオード１８およびフォトダイオード１９は、それぞれのフォトダイオード１９から、互いにπ／２だけ位相がずれたエンコーダパルスを出力するように配設されている。これは、ＤＣモータ１１の回転方向を検出すると共に、回転量の計測精度を向上させるためである。
【００３６】
図１に示すように、原稿台２は、透明なガラス板２０により構成されている。ガラス板２０は、スキャナ構成部３の筐体２１の上面に矩形に開口した開口部２２に嵌め込まれている。原稿Ｐは、原稿面を、原稿台２（ガラス板２０）に向けた状態で、原稿台２（ガラス板２０）に載置される。したがって、ＬＥＤアレイ８から照射された照明光は、ガラス板２０を透過して原稿面を照明し、この反射光は、再びガラス板２０を透過してイメージセンサ７に入射する。
【００３７】
図２に示すように、開口部２２のプーリ１４ａ側の縁部とプーリ１４ａとの間には、キャリッジ５のホームポジション２３が設定されている。キャリッジ５は、原稿面の走査を開始する前には、このホームポジション２３に待機している。
【００３８】
図３は、本実施の形態の制御回路６の概略の構成を示す図である。図３に示すように、制御回路６は、ＣＰＵ２４と、メモリ２５と、スキャナ装置１をパソコンＰＣと接続するためのＵＳＢインターフェースを有する外部インターフェース部２６と、供給される交流電流を直流電流に変換する整流回路２７と、ＡＳＩＣ２８と、を備える。
【００３９】
メモリ２５には、スキャナ装置１全体を制御するためのプログラムが格納されており、ＣＰＵ２４は、このプログラムを実行することによりスキャナ機能、プリンタ機能およびコピー機能を実行するための制御部２４ａとして機能する。
【００４０】
ＡＳＩＣ２８は、プリンタ制御部２９、イメージセンサ制御部３０、エンコーダ制御部３１、およびモータ制御部３２を備える。
【００４１】
プリンタ制御部２９は、パソコンＰＣまたは後述のイメージセンサ制御部３０から送られてくる画像データに基づいてプリンタ部１ａの動作を制御し、印刷用紙に対して画像形成を行う。すなわち、印刷用紙に対して印刷を行う。
【００４２】
イメージセンサ制御部３０は、イメージセンサ７に対して原稿の読み取りを指示する信号（以下、イメージセンサ駆動パルス、と言う。）を出力したり、イメージセンサ７から、読み取り結果の信号を入力して階調値（画像データ）に変換する機能を有する。
【００４３】
エンコーダ制御部３１は、エンコーダ１０から出力されるエンコーダパルスが入力され、ＤＣモータ１１の回転量、回転方向および回転速度を検出する。エンコーダ制御部３１は、エンコーダパルス数の計数を行う図示を省略するパルスカウンタを備える。このパルスカウンタ（図示省略）により、ＤＣモータ１１が回転することにより出力されるエンコーダパルスを計数する。キャリッジ５を前方に移動する方向にＤＣモータ１１が回転したときには、エンコーダパルス数は加算され、キャリッジ５を後方に移動する方向にＤＣモータ１１が回転したときには、エンコーダパルス数は減算されるように構成されている。
【００４４】
モータ制御部３２は、整流回路２７から出力される直流電流をＤＣモータ１１に供給すると共に、ＤＣモータ１１に印加する駆動電流を制御することにより、ＤＣモータ１１の回転速度を制御する。なお、モータ制御部３２は、上述のエンコーダパルスおよびイメージセンサ駆動パルスが、それぞれ、エンコーダ制御部３１およびイメージセンサ制御部３０から入力される。
【００４５】
モータ制御部３２は、図示を省略するレジスタを備える。そして、このレジスタには、副走査方向の解像度に応じて、デューティ比増加率、終了パルス数、不感帯デューティ比等の各値が、予め記憶されている。
【００４６】
モータ制御部３２は、さらに、図示を省略する電力制御用トランジスタを備え、このトランジスタのスイッチング周期に対するオン期間の割合（デューティ比）を変化させる、いわゆるＰＷＭ（Ｐｕｌｓｅ  Ｗｉｄｔｈ  Ｍｏｄｕｌａｔｉｏｎ）制御により駆動電流を制御する。すなわち、デューティ比を小さくすることでオン時間を短くして駆動電流を低くし、また、デューティ比を大きくすることでオン時間を長くして駆動電流を高くする。
【００４７】
なお、上述の制御回路６は、画像読取条件設定手段の一部、移動距離設定手段の一部、復路移動速度設定手段、画像読取範囲設定手段、動作回数設定手段の一部、および動作回数カウント手段に対応する。これら画像読取条件設定手段の一部、移動距離設定手段の一部、復路移動速度設定手段、動作回数設定手段の一部および動作回数カウント手段は、メモリ２５に記憶されている制御プログラムが、ＣＰＵ２４に読み込まれることにより、機能的に実現される。なお、これらの各手段を実現するために、専用の回路を具備する構成を採用しても良い。
【００４８】
具体的には、スキャナ制御部２４ａには、画像読取条件設定手段の一部である画像読取条件設定部２４ｂ、移動距離設定手段の一部であるキャリッジ移動距離設定部２４ｃ、復路移動速度設定手段である復路移動速度設定部２４ｄ、画像読取範囲設定手段である画像読取範囲設定部２４ｅ、動作回数設定手段の一部であるコピー枚数設定部２４ｆ、および動作回数カウント手段としてのコピー枚数カウント部２４ｇが構成されている。
【００４９】
次に、上述の構成によるスキャナ装置１の動作について説明する。
【００５０】
スキャナ装置１は、スキャナ機能、プリンタ機能およびコピー機能を備える。操作ボタン１ｄには、これらの機能を選択する図示を省略する機能選択ボタンが備えられている。
【００５１】
先ず、機能選択ボタン（図示省略）により、スキャナ機能が選択された場合の動作について説明する。
【００５２】
スキャナ装置１は、スキャナ機能において、画像読取条件設定部２４ｂと共に画像読取条件設定手段を構成する図示省略の画像読取条件選択ボタンにより、画像読取条件であるプレビューモードまたは画像データ取得モードを選択することができる。なお、画像読取条件選択ボタン（図示省略）は、例えば、操作ボタン１ｄに備えられている。
【００５３】
プレビューモードにおいては、イメージセンサ７が原稿台２を全面に亘って走査し、パソコンＰＣ側に備えられるディスプレイＤＰに原稿台２の全面の様子を表示する。したがって、プレビューモードでは、原稿台２に置かれた原稿の配置や向き等を確認することができる。
【００５４】
画像読取条件選択ボタン（図示省略）によりプレビューモードが選択された状態で、図示を省略するスキャンボタンが押下されるとプレビュー動作が実行される。すなわち、キャリッジ５が、ホームポジション２３から原稿台２（開口部２２）の前端位置Ｆ（図２参照）まで移動し、キャリッジ５の移動に併せて、イメージセンサ７が画像の読み取りを行うことで、イメージセンサ７が原稿台２を全面に亘って走査する。そして、読み取った画像の画像データは、イメージセンサ制御部３０を介してパソコンＰＣに出力され、ディスプレイＤＰに、原稿台２の全面の映像が表示される。このように、原稿台２の全面の映像をディスプレイＤＰに表示することで、原稿台２に載置されている原稿Ｐの配置等を確認することができる。
【００５５】
キャリッジ５は、前端位置Ｆまで移動したところで、移動方向を反転し、ホームポジション２３に向かって移動し、ホームポジション２３に復帰する。
【００５６】
一方、画像データ取得モードは、原稿Ｐの画像を画像データとしてパソコンＰＣに取り込むモードである。画像データ取得モードが選択された状態で、スキャンボタン（図示省略）が押下されると、キャリッジ５が、副走査方向の前方に移動し、イメージセンサ７が原稿面を走査し、原稿面の画像を読み取る。読み取った画像の画像データは、イメージセンサ制御部３０を介してパソコンＰＣに取り込まれる。そして、パソコンＰＣにおいて、ハードディスク等の記憶手段に保存されたり、あるいは加工するなど所望の処理が実行可能となる。
【００５７】
画像データ取得モードにおいては、スキャンボタン（図示省略）を押下するのに先立ち、キャリッジ移動距離設定部２４ｃと共に移動距離設定手段を構成する図示を省略する原稿サイズ選択ボタンにより、画像読取条件として読み取る原稿のサイズを指定することができる。なお、原稿サイズ選択ボタン（図示省略）は、例えば、操作ボタン１ｄに備えられている。
【００５８】
キャリッジ移動距離設定部２４ｃは、原稿サイズ選択ボタン（図示省略）により選択された原稿のサイズに応じた画像読取終了位置Ｅ（図２参照）までキャリッジ５を移動するように、エンコーダ制御部３１およびモータ制御部３２に対して指令を出す。そして、イメージセンサ制御部３０は、キャリッジ５の移動に併せて、原稿Ｐの画像の読み取りを行い、読み取った画像データをパソコンＰＣに送り画像データの取り込みを行う。なお、画像読取終了位置Ｅは、原稿Ｐの原稿面の画像の読み取りを終了した位置から、キャリッジ５が停止するのに要する停止距離だけ前方の位置に設定される。
【００５９】
原稿サイズ選択ボタン（図示省略）は、例えば、葉書サイズ、Ｂ５サイズ、Ａ４サイズの原稿サイズの中から一つの原稿サイズを選択できるように備えられている。そして、原稿台２の所定位置に、所定の向き（原稿の長手方向を副走査方向に向けるか、あるいは、主走査方向に向けるか）で置かれた原稿Ｐに対する画像読取終了位置Ｅまでキャリッジ５が移動するように、キャリッジ移動距離設定部２４ｃが、エンコーダ制御部３１およびモータ制御部３２に対して指令を出す。メモリ２５には、選択された原稿サイズに対応した画像読込終了位置Ｅが、ホームポジション２３からの距離として記憶されている。キャリッジ移動距離設定部２４ｃは、メモリ２５に記憶されている原稿サイズ毎の画像読込終了位置Ｅに基づいて、エンコーダ制御部３１およびモータ制御部３２を介して、キャリッジ５が画像読取終了位置Ｅに移動するようにＤＣモータ１１の回転を制御する。
【００６０】
なお、機能選択ボタン（図示省略）を備えることなく、画像読取条件選択ボタン（図示省略）を押下することにより、スキャナ装置１は、スキャン機能に設定され、押下された画像読取条件選択ボタン（図示省略）に対応した動作するように構成してもよい。
【００６１】
一般にプレビューモードは、画像データ取得モードにより画像データの取り込みを行うのに先立って、画像データを取り込もうとする画像の状態を確認したり、読み取り範囲を指定するために実行される。したがって、プレビューモードにおいては、画像のプレビューが実行された後に、引き続いて画像データ取得モードが選択され、スキャンボタン（図示省略）が押下され、画像の読み取りが実行されることが想定される。そのため、プレビューモードにおいては、画像データの取り込みを速やかに開始することができるように、キャリッジ５をホームポジション２３に向けて移動する速度を高速にすることが適切である。
【００６２】
一方、画像データ取得モードにおいては、画像データの取り込みに続いて、取り込んだ画像データをパソコンＰＣにおいて処理することが想定される。すなわち、画像データ取込モードにおいては、画像データの取り込みに引き続いて直ちに、プレビュー等の画像の読み取りを行うことは少ないと想定される。そのため、画像データ取込モードにおいては、キャリッジ５をホームポジション２３に向けて移動する速度を高速にする必要性が小さい。
【００６３】
したがって、復路移動速度設定部２４ｄは、キャリッジ５が画像読取終了位置からホームポジション２３に引き返す移動速度を、プレビューモードと画像データ取得モードとにそれぞれ対応する所定速度に設定する。
【００６４】
すなわち、プレビューモードにおいては、上述したように、キャリッジ５を前端位置Ｆからホームポジション２３にできるだけ短時間で戻す必要があることから、復路移動速度設定部２４ｄは、該所定速度を、キャリッジ移動機構９の有する最高の速度である高速度に設定する。一方、画像データ取得モードにおいては、キャリッジ５を短時間で戻す必要がないため、復路移動速度設定部２４ｄは、該所定速度を、キャリッジ５を移動する際にキャリッジ移動機構９から耳障りな騒音が発生しない程度の速度である低速度に設定する。このようにキャリッジ５の復路における移動速度を設定することにより、スキャナ装置１の静音化が図られることになる。なお、キャリッジ移動機構９の有する最高の速度は、例えば、画像の読み取りを一番低い解像度で行うときの、キャリッジ５の移動速度としたり、あるいは、画像の読み取り時の速度とは別の設定で、画像の読み取り時の速度より更に速い速度に設定したりすることができる。
【００６５】
エンコーダ制御部３１およびモータ制御部３２は、復路移動速度設定部２４ｄにより設定された該所定速度に基づき、ＤＣモータ１１を回転制御し、キャリッジ５を前端位置Ｆまたは画像読取終了位置Ｅからホームポジション２３に向かって移動させる。
【００６６】
なお、画像データ取得モードにおいては、原稿サイズに対応させ、画像読取終了位置Ｅからホームポジション２３に戻る復路の移動速度を設定するようにしてもよい。すなわち、復路移動速度設定部２４ｄは、原稿サイズ選択ボタン（図示省略）において、はがきサイズが選択された場合には、低速度に設定する。これに対し、Ｂ５サイズまたはＡ４サイズの原稿が選択された場合には、高速度に設定する。
【００６７】
このように、Ｂ５サイズまたはＡ４サイズの原稿の画像読み込みを行った場合には、高速でホームポジションに２３にキャリッジを戻し、はがきサイズの原稿の画像を読み込んだ場合には、復路の移動速度を低速度に設定することで、スキャナ装置１の画像データ取得モードにおける動作速度を全体的に早くしながらも、静音化を図ることができる。
【００６８】
ところで、スキャナ装置１は、画像読取範囲設定部２４ｅにより、プレビューモードにおいてディスプレイＤＰに表示されたプレビュー画面上で、画像データ取得モードにおける画像の読み込み範囲を画像読取条件として指定することができるように構成されている。
【００６９】
例えば、図４に示すように、原稿台２に載置された原稿Ｐのうち、指定範囲Ｐ１だけの画像を読み込むように画像の読み込み範囲を指定したり、あるいは、指定範囲Ｐ２だけの画像を読み込むように画像の読み込み範囲を指定する。画像読取範囲設定部２４ｅは、このように読み込み範囲が指定された範囲の画像を読み取るように、イメージセンサ７の走査を行う。なお、図４において、図面の上側から下側に向かう方向がイメージセンサ７が画像の読み取り行う往路の方向となっている。すなわち、図面の上側がホームポジション２３側となり、図面の下側が前端位置Ｆ側である。
【００７０】
画像データ取得モードにおいては、キャリッジ５が、指定された読み取り範囲の前方側の縁部、例えば、指定範囲Ｐ１においては前縁部Ｐ１ｅ、あるいは指定範囲Ｐ２においては前縁部Ｐ２ｅ毎に設定される画像読取終了位置Ｅ１，Ｅ２まで移動した後、ホームポジション２３に引き返す。この画像読取終了位置Ｅ１，Ｅ２は、画像読取範囲設定部２４ｅにより、指定範囲Ｐ１，Ｐ２の前端縁Ｐ１ｅ，Ｐ２ｅ毎に対応して設定される。
【００７１】
復路移動速度設定部２４ｄは、画像読取範囲設定部２４ｅにより設定された画像読取終了位置Ｅ１，Ｅ２に応じて、キャリッジ５の復路における移動速度を所定の速度に設定する。例えば、指定された読み込み範囲に基づいて設定される画像読取終了位置Ｅ１，Ｅ２が、ホームポジション２３から前端位置Ｆまでの距離の半分よりもホームポジション２３側の位置である場合には、低速度に設定する。逆に、該画像読取終了位置が、ホームポジション２３から前端位置Ｆまでの距離の半分以上離れた位置である場合には、高速度に設定する。すなわち、図４に示す例では、部分Ｐ１の画像を読み取る場合には、画像読取終了位置Ｅ１は、ホームポジション２３から前端位置Ｆまでの距離の半分よりもホームポジション２３側の位置であるため、キャリッジ５の復路における移動速度は低速度に設定される。これに対し、部分Ｐ２の画像を読み取る場合には、画像読取終了位置Ｅ２は、ホームポジション２３から前端位置Ｆまでの距離の半分よりも離れた位置であるため、キャリッジ５の復路における移動速度は高速度に設定される。
【００７２】
このようにすることで、キャリッジ５の復路における移動速度を設定することにより、スキャナ装置１が画像データ取得モードにあるときも、スキャナ装置１の静音化を図ることができる。
【００７３】
次に、機能選択ボタン（図示省略）によりプリンタ機能が選択された場合のスキャナ装置１の動作について簡単に説明する。機能選択ボタン（図示省略）によりプリンタ機能が選択されたきは、プリンタ制御部２９は、パソコンＰＣから送られてくる画像データに基づいて、プリンタ部１ａにより印刷用紙に対する印刷を行う。例えば、パソコンＰＣから上述の画像データ取得モードにおいて取得された画像データが送られてきた場合には、この画像データに基づいて印刷用紙に対する印刷が行われる。また、パソコンＰＣから、スキャナ装置１により取得したデータ以外の画像データや文字データが送られてきた場合には、これらの画像データに基づいて、印刷用紙に対する印刷を行う。
【００７４】
最後に、機能選択ボタン（図示省略）によりコピー機能が選択された場合のスキャナ装置１の動作について説明する。
【００７５】
機能選択ボタン（図示省略）によりコピー機能が選択された状態で、図示を省略するコピーボタンが押下されると、スキャン機能においてスキャンボタン（図示省略）が押下されたときと同様に、イメージセンサ７が、原稿Ｐの原稿面を走査する。そして、この走査により読み取った画像データが、プリンタ制御部２９に送られ、プリンタ制御部２９は、プリンタ部１ａにより印刷用紙に対する印刷を行う。すなわち、原稿Ｐのコピーが行なわれる。
【００７６】
本実施の形態のスキャナ装置１は、コピー機能を選択する機能選択ボタン（図示省略）を、コピーボタン（図示省略）として備え、このコピーボタン（図示省略）を押下することにより、コピー機能が選択されると共に、併せて上述のコピー動作が実行されるように構成されている。なお、コピーボタン（図示省略）は、例えば、操作ボタン１ｄに備えられている。
【００７７】
スキャナ装置１においては、コピーボタン（図示省略）を押下するのに先立ち、コピー枚数を設定する図示を省略するコピー枚数設定ボタンによりコピー枚数を設定するとともに、原稿サイズ選択ボタン（図示省略）により、コピーする原稿のサイズの選択を行う。コピー枚数の設定と原稿サイズの選択を行った後、コピーボタン（図示省略）を押下すると、原稿サイズに応じた距離だけ、キャリッジ５が前方に移動し、イメージセンサ７により原稿面を走査する。すなわち、キャリッジ５が、原稿サイズに応じた画像読取終了位置Ｅまで移動し、原稿面を走査する。読み取られた画像データは、プリンタ制御部２９に送られ、プリンタ部１ａにおいて、送られてきた画像データに基づいて、印刷用紙に対して印刷を行う。
【００７８】
キャリッジ５は、コピー枚数設定ボタン（図示省略）により設定された枚数の回数だけ往復移動し、その都度、イメージセンサ７が原稿面を走査し画像を読み取る。そして、読み取られた画像データは、イメージセンサ７が原稿面を走査する都度、プリンタ制御部２９に送られ、プリンタ部１ａでは、送られてきた走査毎の画像データ毎に、印刷用紙に対して印刷を行う。すなわち、スキャナ装置１のコピー動作は、原稿面を走査し、画像の読み取りを行う都度に、一枚のコピーを作成する。
【００７９】
コピー枚数の設定は、コピー枚数設定ボタン（図示省略）と共に動作回数設定手段を構成するコピー枚数設定部２４ｆ（図４参照）により行われる。すなわち、コピー枚数設定部２４ｆは、コピー枚数設定ボタン（図示省略）により設定されたコピー枚数の回数だけ、キャリッジ５を往復移動し、原稿面を走査するように、イメージセンサ制御部３０、エンコーダ制御部３１およびモータ制御部３２を制御する。そして、キャリッジ５が原稿面を走査する都度、イメージセンサ７により読み取られた画像データは、プリンタ制御部２９に送られ、一回の走査により読み取られた画像データ毎に、プリンタ部１ａにより、印刷用紙に対して印刷が行われる。
【００８０】
このように設定コピー枚数が複数の場合には、原稿の走査が終了した後、続いて行われる走査までの間隔を短くすることで、同一原稿に対して複数枚のコピーを行う際のコピー時間を短縮することができる。したがって、キャリッジ５が、画像読取終了位置からホームポジション２３に戻る移動速度を高速にすることが適切である。
【００８１】
一方、設定コピー枚数が一枚である場合には、引き続いて原稿面を走査する必要がない。つまり、キャリッジ５が、画像読取終了位置Ｅからホームポジション２３に戻る移動速度を高速にする必要がない。
【００８２】
復路移動速度設定部２４ｄは、設定コピー枚数が、複数枚か、あるいは一枚かにより、キャリッジ５が画像読取終了位置Ｅからホームポジション２３に引き返す移動速度を、それぞれ所定速度に設定する。
【００８３】
すなわち、設定コピー枚数が複数枚の場合には、上述したように、キャリッジ５を画像読取終了位置Ｅからホームポジション２３にできるだけ短時間で戻す必要があることから、復路移動速度設定部２４ｄは、該所定速度を、キャリッジ移動機構９の有する最高の速度である高速度に設定する。一方、設定コピー枚数が一枚である場合には、キャリッジ５を短時間で戻す必要がないため、復路移動速度設定部２４ｄは、該所定速度を、キャリッジ５を移動する際にキャリッジ移動機構９から耳障りな騒音が発生しない程度の速度である低速度に設定する。
【００８４】
なお、設定コピー枚数が２枚あるいは３枚程度以下の場合には、それより枚数が多い場合と比較するとコピーを行う時間は比較的短時間である。したがって、キャリッジ５の復路における移動速度を該低速度に設定することで、コピーに要する時間をあまり長くすることなく、スキャナ装置１の静音化を図ることができる。すなわち、キャリッジ５の復路における移動速度が該低速度に設定される設定コピー枚数は、スキャナ装置１に要求される静音化とコピー動作の速さとに鑑み適宜に設定する。
【００８５】
設定コピー枚数が複数枚の場合には、原稿サイズに対応して、画像読取終了位置Ｅからホームポジション２３に戻る復路の移動速度を設定するようにしてもよい。すなわち、復路移動速度設定部２４ｄは、原稿サイズ選択ボタン（図示省略）により、はがきサイズが選択された場合には、キャリッジ５の復路における低速度に設定する。また、Ｂ５サイズまたはＡ４サイズの原稿が選択された場合には、高速度に設定する。このように復路の移動速度を設定することで、Ｂ５サイズまたはＡ４サイズの原稿の画像読み込みを行った場合には、高速でホームポジションに２３にキャリッジを戻すことができる。一方、はがきサイズの原稿の画像を読み込んだ場合には、復路の移動速度を低速度に設定することで、スキャナ装置１の静音化が図られる。
【００８６】
このように、Ｂ５サイズまたはＡ４サイズの原稿の画像読み込みを行った場合には、高速でホームポジションに２３にキャリッジを戻し、はがきサイズの原稿の画像を読み込んだ場合には、復路の移動速度を低速度に設定することで、スキャナ装置１の画像データ取得モードにおける動作速度を全体的に早くしながら、静音化を図ることができる。
【００８７】
ところで、コピー枚数カウント部２４ｇにおいては、キャリッジ５の往復移動回数をカウントすることで、コピー回数をカウントしている。そして、コピー枚数カウント部２４ｇでは、コピー枚数設定部２４fにおいて設定されたコピー枚数と、既に行われたコピー回数とに基づき、残りのコピーすべき残数を演算する。
【００８８】
コピー枚数カウント部２４ｇで演算されたコピー残数が、最後の一枚のコピーになったときには、復路移動速度設定部２４ｄは、最後の一枚をコピーするために原稿面を走査した後、ホームポジション２３に向かって移動するキャリッジ５の移動速度を、上述した低速度に設定する。これにより、スキャナ装置１の静音化を図ることができる。つまり、コピー枚数カウント部２４ｇで演算されたコピー残数が、最後の一枚のコピーになったと判断されたときには、キャリッジ５は、コピー枚数設定部２４fにおいて設定されたコピー枚数の回数だけ往復移動すべきところ、最後から２回目の往復移動が終了したことになる。そして、キャリッジ５が、最後の一枚をコピーするために原稿面を走査し、コピー枚数カウント部２４ｇにより最後の１回の往復移動がカウントされるときの、キャリッジ５の復路における移動速度を、上述した低速度に設定することで、スキャナ装置１の静音化が図られる。
【００８９】
なお、例えば、印刷する用紙が、大きな用紙であったり、あるいは、印刷の解像度が高い場合には、印刷に要する時間が、画像の読み取りに要する時間よりも長くなることがある。このように、プリンタ部１ａにおける印刷に要する時間と、スキャナ装置１における画像の読み取りに要する時間とを比較し、印刷に要する時間の方が画像の読み取りに要する時間よりも長い場合には、キャリッジ５の復路における移動速度を低速度に設定してもよい。例えば、解像度設定手段として、プリンタ部１ａの印刷の解像度を設定する設定部を備え、設定された解像度が所定の解像度よりも高い場合には、キャリッジ５の復路における移動速度を低速度する。具体的には、例えば、解像度の設定を３００ｄｐｉ、４００ｄｐｉ、６００ｄｐｉ、１２００ｄｐｉ、２４００ｄｐｉとし、１２００ｄｐｉ以上の解像度で印刷を行なう場合には、キャリッジ５の復路における移動速度を低速度にする。
【００９０】
なお、スキャナ装置１には、画像の読み取り動作、あるいはコピー動作を、途中でキャンセルする操作を行なう図示を省略するキャンセル釦が備えられている。このキャンセル釦（図示省略）を押下すると、ＣＰＵ２４は、スキャナ装置１に対してキャンセル対象の動作を終了する制御を行う。このように、画像の読み取り動作、あるいはコピー動作が途中でキャンセルされる場合には、続いて改めて、画像の読み取り動作あるいはコピー動作が行われることが多い。そのため、キャリッジ５をホームポジション２３に戻す移動速度を高速度に設定し、続く各動作を速やかに開始することができるようにする。
【００９１】
ところで、上述した、図示を省略する機能選択ボタン、画像読取条件選択ボタン、スキャンボタン、原稿サイズ選択ボタン、コピーボタンおよびコピー枚数設定ボタンは、操作ボタン１ｄとしてスキャナ装置１側に備える代わりに、パソコンＰＣ側のディスプレイＤＰ上に、アイコン表示のボタンとして備えるように構成してもよい。
【図面の簡単な説明】
【００９２】
【図１】本発明の第１の実施の形態に係るスキャナ装置の外観を示す斜視図である。
【図２】図１に示すスキャナ装置の内部機構の概略を示す図である。
【図３】図２に示す制御回路の概略を示す図である。
【図４】図１に示すスキャナ装置において、原稿の一部分だけの画像を読み込む場合を説明するための図である。
【符号の説明】
【００９３】
１  …  スキャナ装置（画像読取装置／画像読取形成装置）  １ａ  …  プリンタ部（画像形成手段）  ７  …  イメージセンサ（画像読取手段）  ２３  …  ホームポジション  ２４ｂ  …  画像読取条件設定部（画像読取条件設定手段の一部）  ２４ｃ  …  キャリッジ移動距離設定部（移動距離設定手段の一部）  ２４ｄ  …  復路移動速度設定部（復路移動速度設定手段の一部）  ２４ｅ  …  画像読取範囲設定部（画像読取範囲設定手段の一部）  ２４ｆ  …  コピー枚数設定部（動作回数設定手段の一部）  ２４ｇ  …  コピー枚数カウント部（動作回数カウント手段の一部）
【図１】
2008118249.tif 000003
【図２】
2008118249.tif 000004
【図３】
2008118249.tif 000005
【図４】
2008118249.tif 000006